(57)【特許請求の範囲】
【請求項１】
発信相手先終話通知サービスとして、発信相手先が話中の場合に当該電話回線を再捕捉して発信元から所定のダイヤルを送出して相手先終話通知を網側へ登録することにより、網側からの前記発信元への特殊着信による呼び出しで前記発信相手先の終話を通知するサービスが提供されている電話回線に接続される電話装置であって、
前記電話回線を用いて登録した発信相手先終話通知サービスの進行状態を管理する管理手段と、
前記電話回線を選択する操作に応じて前記管理手段で管理されている進行状態を示す可視表示を行う表示手段とを備えることを特徴とする電話装置。
【請求項２】
発信相手先終話通知サービスとして、発信相手先が話中の場合に当該電話回線を再捕捉して発信元から所定のダイヤルを送出して相手先終話通知を網側へ登録することにより、網側からの前記発信元への特殊着信による呼び出しで前記発信相手先の終話を通知するサービスが提供されている複数の電話回線に接続される電話装置であって、
前記電話回線を用いて登録した発信相手先終話通知サービスの進行状態を各電話回線ごとに管理する管理手段と、
いずれかの電話回線を選択する操作に応じて前記管理手段で管理されている当該電話回線の進行状態を示す可視表示を行う表示手段とを備えることを特徴とする電話装置。
【発明の詳細な説明】
【０００１】
【発明の属する技術分野】
本発明は、電話装置に関し、特に網側から発信相手先終話通知サービスが提供されている電話回線に接続される電話装置に関するものである。
【０００２】
【従来の技術】
公衆電話網では、加入者に対して発信相手先終話通知サービスが提供されている。このサービスは、発信相手先が話中の場合、発信側電話装置から網側へ所定の登録操作を行うことにより、その後の発信相手先終話を網側から発信側電話装置へ通知するサービスである。
以下、図１２〜１４を参照して、発信相手先終話通知サービスについて説明する。図１２は発信相手先終話通知サービスの動作を示すシーケンス図、図１３は発信相手先終話通知時の着信信号を示す信号波形図、図１４は発信相手先終話通知のタイミングチャートである。
【０００３】
図１２において、発信側電話装置と着信側電話装置とは、それぞれ電話回線を介して電話網に接続されている。まず、発信側電話装置では利用者の操作に応じて電話回線を捕捉し発信相手先すなわち着信側電話装置の電話番号をダイヤル送出することにより、着信側電話装置へ発信したとする（ステップ７０）。
これに応じて電話網では、着信側電話装置の状態をチェックし、着信側電話装置が他の電話装置と話中の場合などその電話回線を捕捉しており呼び出しできない場合は、発信側電話装置に対してビジートーン（ＢＴ）などにより着信側電話装置が使用状態にあることを通知する（ステップ７１）。そして、発信側電話装置は電話回線を切断する（ステップ７２）。
【０００４】
ここで、利用者が着信側へ電話連絡を取りたい場合、発信相手先終話通知サービスを利用するため、サービスの登録操作を行う。
まず、発信側電話装置では、電話回線を捕捉してダイヤル「１５９」を送出する（ステップ７３）。これにより、電話網からサービスの内容に関する音声メッセージが通知される（ステップ７４）。
そして、発信側電話装置からサービスの登録を指示するダイヤル「１」を送出することにより、サービスの登録が行われ（ステップ７５）、電話網からサービス登録の完了に関する音声メッセージが通知され（ステップ７６）、発信相手先終話通知サービスの登録処理が終了する。
【０００５】
これにより、電話網では、発信相手先終話通知サービスを開始し、登録された着信側電話装置の終話に応じて、後述するＳＩＲ着信により発信側電話装置の呼び出しを行う（ステップ８０）。
発信側電話装置でこのＳＩＲ着信に応答した場合（ステップ８１）、電話網から着信側電話装置の終話に関する音声メッセージが通知される（ステップ８２）。これにより利用者は着信側電話装置が終話し、呼び出し可能な状態となったことを知り、一旦、電話回線を切断する（ステップ８３）。
【０００６】
続いて、このサービスを用いた網側からの再発信を指示するため、電話回線を再捕捉してダイヤル「１５９」を送出し（ステップ８４）、これに応じて、電話網からのサービスの内容に関する音声メッセージが通知される（ステップ８５）。
そして、発信側電話装置から網側へ発信相手先への再発信を指示するダイヤル「３」を送出することにより（ステップ８６）、電話網から着信電話装置に対して呼び出しが行われ（ステップ８７）、着信側電話装置での応答に応じて（ステップ８８）、発信側電話装置と着信側電話装置とが電話網を介して接続され、両者間での通話が開始される（ステップ８９）。
【０００７】
このような発信相手先終話通知サービスを利用者が網側へ登録することにより、発信側電話装置で着信側電話装置の終話を知ることができる。また、電話網からの発信相手先終話通知後の簡単な操作で、着信側電話装置を呼び出すことができる。
【０００８】
この発信相手先終話通知サービスでは、電話網から発信側電話装置に対して相手先終話を通知する際、図１３に示すように、通常のＩＲ着信とは異なるＳＩＲ着信が用いられる。
着信の際、アナログ電話回線では１６Ｈｚの周波数信号が用いられており、ＩＲ着信の鳴動パターンは、図１３（ａ）のように、オン期間が１秒間の周波数信号９０からなり、このようなパターンの周波数信号９０，９１，…が３秒周期で繰り返される。
【０００９】
これに対して、ＳＩＲ着信の鳴動パターンでは、図１３（ｂ）に示すように、周波数信号の短いオン期間（ｔ１＝０．２５〜０．３秒）９５Ａに続いて、短いオフ期間（ｔ２＝０．２〜０．３秒）９５Ｂがあり、さらに短いオン期間（ｔ１＝０．２５〜０．３秒）９５Ｃが設けられている。
そして、このような短いオフ期間を挟む、２つのオン期間からなるパターン９５，９６，…が３秒周期で、全１２回（約３６秒間）繰り返される。
【００１０】
電話網では、このようなＳＩＲ着信に対して発信側電話装置が何らかの理由で応答できなかった場合を想定し、図１４に示すように、初回のＳＩＲ着信から５分間隔（Ｔ２）で最大４回にわたり、ＳＩＲ着信を用いて発信側電話装置への呼び出しを行う。
この際、ＳＩＲ着信への応答後のダイヤル「１５９」の送出に続くダイヤル「３」の送出で、電話網から再発信できる期間は、電話網側負荷の低減を考慮して、ＳＩＲ着信への応答から５分以内に制限されている。さらに、ＳＩＲ着信に応答した時点で、発信相手先終話通知サービスが完了したと見なされるため、例えば初回ＳＩＲ着信へ応答した場合、その後の残り３回のＳＩＲ着信は打ち切られる。
【００１１】
また、相手先電話装置の終話を監視する際、電話網側負荷の低減を考慮して、相手先電話装置の終話を監視する期間、すなわち相手終話待ち時間（Ｔ１）をサービス登録時点から４５分までに制限している。
電話網から発信側電話装置への音声メッセージとしては、サービス登録時の登録完了通知メッセージ（Ｍ１）のほか、発信側電話装置によるＳＩＲ着信への応答時に送出される相手先終話通知メッセージ（Ｍ２）がある。また、相手終話待ち時間（Ｔ１）が４５分を越えた場合は、初回となるＳＩＲ着信への応答時に、サービス終了通知メッセージ（Ｍ３）が送出される。
【００１２】
発信相手先終話通知サービスでは、サービス登録時にそのサービスにかかる料金が発信元の電話回線に対して課金される。また、サービス登録が有効な期間すなわち電話網側で発信相手先の終話を監視している期間内においては、回線を捕捉しダイヤル「１５９」に続いてダイヤル「８」を送出することにより、登録した発信相手先の電話番号を確認できる。
また、発信相手先終話通知サービスでは、１つの電話回線で１つの発信相手先しか登録できない。これは、登録される側、すなわち発信相手先についても同様であり、複数の発信元から重複して登録されない。なお、回線を捕捉しダイヤル「１５９」に続いてダイヤル「９」を送出することにより、既に登録されている発信相手先の設定を取り消すことができる。
【００１３】
【発明が解決しようとする課題】
しかしながら、従来の電話装置では、発信相手先終話通知サービスによる電話網側からのＳＩＲ着信に応じて着信音を送出するだけであり、電話回線で発信相手先終話通知サービスを登録したかどうか利用者が確認できないという問題点があった。発信相手先終話通知サービスが登録されていれば、その後ＳＩＲ着信による発信相手先の終話が通知されるため、なるべくならその電話回線の使用を控えたほうがよい。しかし、これから使用する電話回線にサービスが登録されているかどうか分からない場合は、このような対応ができなかった。
本発明はこのような課題を解決するためのものであり、使用する電話回線で発信相手先終話通知サービスが登録されているかどうかを利用者が容易に確認できる電話装置を提供することを目的としている。
【００１４】
【課題を解決するための手段】
このような目的を達成するために、本発明にかかる電話装置は、発信相手先終話通知サービスとして、発信相手先が話中の場合に当該電話回線を再捕捉して発信元から所定のダイヤルを送出して相手先終話通知を網側へ登録することにより、網側からの発信元への特殊着信による呼び出しで発信相手先の終話を通知するサービスが提供されている電話回線に接続される電話装置であって、電話回線を用いて登録した発信相手先終話通知サービスの進行状態を管理する管理手段と、電話回線を選択する操作に応じて管理手段で管理されている進行状態を示す可視表示を行う表示手段とを備えるものである。
【００１５】
また、本発明にかかる他の電話装置は、発信相手先終話通知サービスとして、発信相手先が話中の場合に当該電話回線を再捕捉して発信元から所定のダイヤルを送出して相手先終話通知を網側へ登録することにより、網側からの発信元への特殊着信による呼び出しで発信相手先の終話を通知するサービスが提供されている複数の電話回線に接続される電話装置であって、電話回線を用いて登録した発信相手先終話通知サービスの進行状態を各電話回線ごとに管理する管理手段と、いずれかの電話回線を選択する操作に応じて管理手段で管理されている当該電話回線の進行状態を示す可視表示を行う表示手段とを備えるものである。
【００１６】
【発明の実施の形態】
次に、本発明について図面を参照して説明する。
図１は本発明の一実施の形態にかかる電話装置のブロック図であり、ここでは、発信相手先終話通知サービスが電話網から提供されているアナログ電話回線に接続される単独電話機が例として示されている。
この電話装置には、ダイオードブリッジＤＢ１，ＤＢ２、コンデンサＣ、フックスイッチＨＳ（ＨＳ１，ＨＳ２）、制御回路１，着信信号検出回路２、ブザーＢＺ、ループ閉結回路３、ダイヤル回路４、通話回路５、送受器ＴＲ、増幅回路６、音源回路７、音声録再回路８、ダイヤルキー９、機能キー１０、メモリ１１、表示回路１２、リバース検出部１３、時計回路１４、およびＢＴ（ビジートーン）検出回路１５が設けられている。
【００１７】
ダイオードブリッジＤＢ１は、アナログ電話回線Ｌの両端に接続されており、アナログ電話回線Ｌからのループ電流を整流して後段のループ閉結回路３や通話回路５へ供給する。
ループ閉結回路３は、ダイオードブリッジＤＢ１と通話回路５との間に接続され、制御回路１からの指示に応じてアナログ電話回線Ｌの直流ループを閉結する。このループ閉結回路３と並列してフックスイッチＨＳ１が設けられている。なお、フックスイッチＨＳ１の他の接点ＨＳ２を用いてフックスイッチの状態が制御回路１にも入力されている。
【００１８】
ダイオードブリッジＤＢ２は、コンデンサＣを介してアナログ電話回線Ｌの両端に接続され、通常のＩＲ着信および発信相手先終話通知サービスで用いられるＳＩＲ着信（特殊着信）の際に、電話網から送出される着信信号すなわち１６Ｈｚの周波数信号を整流し、その整流出力を着信信号検出回路２へ供給する。
着信信号検出回路２では、ダイオードブリッジＤＢ２の整流出力から、ＩＲ着信またはＳＩＲ着信の鳴動パターンに応じた周波数信号の有無すなわちオン・オフを示す着信出力信号を制御回路１へ出力する。また着信時の鳴動パターンに応じてブザーＢＺを駆動して着信音を送出する。
【００１９】
リバース検出回路１３では、発信相手先の応答時に電話網からアナログ電話回線Ｌへ送出されるリバース信号（極性反転信号）を検出し、制御回路１へ出力する。
ＢＴ検出回路１５では、アナログ電話回線Ｌから相手先話中を示すＢＴ（ビジートーン）を検出し、制御回路１へ通知する。
ダイヤル回路４では、制御回路１からの指示に応じて、相手先電話番号や発信相手先終話通知サービスで用いるダイヤル「１５９」など、所定のダイヤルをループ閉結回路３を介してアナログ電話回線Ｌへ送出する。
【００２０】
通話回路５では、ループ閉結回路３またはフックスイッチＨＳ（ＨＳ１，ＨＳ２）を介してアナログ電話回線Ｌに接続され、送受器ＴＲを動作させて音声通話を行う。増幅回路６では、通話回路５からの通話音声（スピーカ受話動作の場合）など、各種音声信号を増幅してスピーカＳＰから出力する。
音声録再回路８では、必要に応じて増幅回路６からの通話音声を録音し、また増幅回路６へ再生出力する。音源回路７では利用者への呼び出し音、警報音、確認音など各種の信号音を増幅回路６へ出力する。
【００２１】
制御回路１は、ＣＰＵから構成され、任意の時間長を計時するタイマ１Ａを有し、フックスイッチＨＳ２の状態や、ダイヤルキー９および機能キー１０からの操作入力を検出し、予め制御回路１やメモリ１１に格納されている所定のプログラムにより動作して各回路を制御する。
メモリ１１は、必要に応じて制御回路１で実行するプログラムを予め格納し、また制御回路１１の処理動作に必要な情報を記憶する。処理動作に必要な情報としては、例えば電話装置自体の動作状態や発信相手先終話通知サービスの状態、短縮電話番号、リダイヤル電話番号などを記憶し、さらに空き待ちダイヤルエリアに発信相手先終話通知サービスで登録した発信相手先の電話番号などを記憶する。
【００２２】
音源回路７では、各種呼び出し音、確認音などのほか、再発信有効期間の終了を予告警報するための警報音を、増幅回路６を介してスピーカＳＰから出力する。音声録再回路８では、増幅回路６を介して通話回路５からの音声、例えば通話内容や送受器ＴＲから入力された利用者の音声メッセージを録音し、これを再生して増幅回路６さらには通話回路５へ出力する。
表示回路１２は、ＬＥＤやＬＣＤなどの表示素子を用いて、アナログ電話回線Ｌの状態、電話装置の動作状態を可視表示するほか、発信相手先終話通知サービスの状態、再発信有効期間の経過時間や残り時間を可視表示する。
時計回路１０では、カレンダー管理や時刻計時動作のほか、制御回路１のタイマ１Ａを用いた計時処理のために必要な所定周波数のクロック信号を制御回路１へ供給する。
【００２３】
本実施の形態では、制御回路１において、電話回線を用いて登録した発信相手先終話通知サービスの進行状態を管理し（管理手段）、電話回線を選択する操作に応じて管理手段で管理されている進行状態を可視表示する（表示手段）ようにしたものである。
特に、ボタン電話装置など複数の電話回線に接続されている場合は、各電話回線ごとにサービスの進行状態を管理し、いずれかの電話回線を選択する操作に応じて管理手段で管理されている当該電話回線の進行状態を可視表示する表示ようにしたものである。
なお、これら機能手段は、上記した各回路部からなるハードウェア資源と制御回路１で実行されるプログラムによるソフトウェア資源とが共動することにより実現されている。
【００２４】
また、本実施の形態については、図１で示した単独電話機に限定されるものではなく、図２に示すようなアナログ電話回線に接続されるボタン電話装置にも適用可能である。図２は本実施の形態にかかるボタン電話装置を示すブロック図である。
このボタン電話装置は、１本以上のアナログ電話回線３１に接続される主装置３０と、内線伝送路２０を介してこれら主装置３０に接続される複数のボタン電話機（子機）２０Ａ〜２０Ｎから構成されている。
【００２５】
主装置３０には、外線Ｉ／Ｆ部３２、着信信号検出部３３、ＢＴ検出部３４、音声録再部（録再部）３５、Ｔスイッチ３６、内線Ｉ／Ｆ部３７、主制御部３８、および主記憶部３９が設けられている。
外線Ｉ／Ｆ部３２は、電話網からのアナログ電話回線３１に接続され、回線捕捉／切断、リバース検出、ダイヤル送出、アナログ音声の符号／復号処理などの終端制御を回線ごとに個別に行う。
【００２６】
着信信号検出部３３は、外線Ｉ／Ｆ部３２と並列してアナログ電話回線３１に接続され、電話網からの着信信号すなわち１６Ｈｚの周波数信号を回線ごとに個別に検出し、その検出出力を主制御部３８へ出力する。
ＢＴ検出部３４は、外線Ｉ／Ｆ部３２と並列してアナログ電話回線３１に接続され、電話網から相手先話中を示すＢＴ（ビジートーン）を回線ごとに個別に検出し、その検出出力を主制御部３８へ出力する。
【００２７】
内線Ｉ／Ｆ部３７は、内線伝送路２０を介して各ボタン電話機２０Ａ〜２０Ｎとデータ伝送を行うことにより、音声データや制御データをやり取りする。
Ｔスイッチ（時分割スイッチ）３６では、主制御部３８からの指示に応じて外線Ｉ／Ｆ部３２と内線Ｉ／Ｆ部３７との間で符号化された音声データをやり取りすることにより、所定のアナログ電話回線３１とボタン電話機２Ａ〜２Ｎのいずれかとの間の音声通話を形成する。
音声録再部３５は、Ｔスイッチ３６からの音声データを録音し、再生出力する。
【００２８】
主制御部３８は、ＣＰＵから構成され、任意の時間長を計時するタイマ３８Ａを有し、予め主制御部３８や主記憶部３９に格納されている所定のプログラムにより動作して主装置の各部を制御する。
主記憶部３９は、必要に応じて主制御部３８で実行するプログラムを予め格納し、また主制御部３８の処理動作に必要な情報を記憶する。処理動作に必要な情報としては、例えば各アナログ電話回線３１の個別の状態や、ボタン電話機２Ａ〜２Ｎの個別の動作状態、短縮電話番号やリダイヤル電話番号、各アナログ電話回線３１（またはボタン電話機２Ａ〜２Ｎ）ごとの発信相手先終話通知サービスの状態を記憶し、さらに空き待ちダイヤルエリアに発信相手先終話通知サービスに登録した発信相手先の電話番号などを記憶する。
【００２９】
ボタン電話機２Ａ〜２Ｎは、それぞれ同様の構成をなしており、伝送Ｉ／Ｆ部２１、音声処理部２２、子機制御回路２３、操作部２４、表示部２５、メモリ２６が設けられている。
伝送Ｉ／Ｆ部２１では、内線伝送路２０を介して主装置３０の内線Ｉ／Ｆ部３７とデータ伝送することにより、音声データや制御データをやり取りする。
音声処理部２２では、伝送Ｉ／Ｆ部２１で受信された主装置３０からの音声データを復号化して送受器ＴＲやスピーカＳＰへ出力し、送受器ＴＲからの音声信号を音声データへ符号化して伝送Ｉ／Ｆ部２１へ出力する。また、各種呼び出し音、確認音などの他、再発信有効期間の終了を予告警報するための警報音をスピーカＳＰから出力する。
【００３０】
表示部２５は、ＬＥＤやＬＣＤなどの表示素子を用いて、アナログ電話回線３１の状態、当該ボタン電話機の動作状態を可視表示するほか、発信相手先終話通知サービスの状態を可視表示する。
操作部２４では、ダイヤルキーや各種機能キー、例えば外線ボタンや発信相手先終話通知サービスで用いる再発信ボタンなどの操作、およびフックスイッチの状態を検出し操作情報として子機制御部２３へ出力する。
【００３１】
子機制御部２３は、ＣＰＵから構成されており、伝送Ｉ／Ｆ部２１からの制御データを受信して、予め子機制御部２３やメモリ２６に格納されている所定のプログラムにより動作してボタン電話機の各部を制御する。また、操作部２４からの操作情報を取得し、主装置３０への制御データとして伝送Ｉ／Ｆ部２１へ出力する。
メモリ２６は、必要に応じて子機制御部２３で実行するプログラムを予め格納し、また子機制御部２３の処理動作に必要な情報を記憶する。処理動作に必要な情報としては、例えば当該ボタン電話機の動作状態や表示部２５で表示する表示データなどを記憶する。
【００３２】
ＩＲ着信（通常着信）とＳＩＲ着信（特殊着信）とを識別して検出する方法としては、公知の技術を用いることができる。
電話回線がアナログ電話回線の場合、前述した図１３に示すように、ＩＲ着信とＳＩＲ着信とでその鳴動パターンが異なるため、その１６Ｈｚの周波数信号の長さすなわちオン期間長を計時すればよい。
【００３３】
この着信検出の際、周波数信号のオン期間だけでなく周波数信号のオフ期間長も計時することにより、オン期間の途中から着信信号送出が開始された場合でも、ＩＲ着信をＳＩＲ着信と誤判定することがなくなり、ＩＲ着信とＳＩＲ着信とを正確に識別して検出できる。
また、周波数信号のオフ期間の時間長をチェックすることにより、周波数信号のオン期間の時間長のみに基づきＳＩＲ着信の判定を行う場合と比較して、早めに着信検出することができる。これにより、ＳＩＲ着信と利用者による回線発信操作とがほぼ同時に生じる可能性を低減でき、このようなＳＩＲ着信と回線発信動作と衝突による利用者の混乱を低減できる。
【００３４】
以上では、アナログ電話回線に接続される電話装置やボタン電話装置について説明したが、本実施の形態は、アナログ電話回線に接続される電話装置だけでなくデジタルデータ伝送を行うＩＳＤＮ回線に接続される電話装置やボタン電話装置にも適用できる。
ＩＳＤＮ回線では、着信、発信などの呼制御は、すべて網側とやり取りする制御メッセージにより行われる。特に、着信時には、網側から呼設定メッセージが送信される。その呼設定メッセージに含まれる網特有ファシリティ（network-specific facilities）という網側からの情報を参照することにより、その着信がＩＲ着信かＳＩＲ着信かを識別できる。また、発信相手先による応答および話中状態については、網側からの応答メッセージおよび切断メッセージにより確認できる。
【００３５】
図３は、ＩＳＤＮ回線に接続される電話装置を示すブロック図であり、前述の図１と同じまたは同等部分には同一符号を付してある。この電話装置では、図１と比較して外線Ｉ／Ｆ回路１６や音声処理回路１７が新たに設けられている。
外線Ｉ／Ｆ回路１６は、ＩＳＤＮ回線ＬＡに接続され網側とデジタルデータ伝送を行い、網側からの各種制御メッセージを制御回路１へ出力し、音声データを音声処理回路１７へ出力する。また、制御回路１からの各種制御メッセージや音声処理回路１７からの音声データを網側へ送信する。
【００３６】
音声処理回路１７では、外線Ｉ／Ｆ部１６で受信した網側からの音声データを音声信号へ復号化して送受器ＴＲやスピーカＳＰへ出力し、送受器ＴＲからの音声信号を音声データへ符号化して外線Ｉ／Ｆ部１６へ出力する。また、音声録再回路８と音声信号あるいは音声データをやり取りするとともに、各種呼び出し音、確認音などの他、再発信有効期間の終了を予告警報するための警報音をスピーカＳＰから出力する。
【００３７】
図４は、ＩＳＤＮ回線に接続されるボタン電話装置の主装置を示すブロック図であり、前述の図２と同じまたは同等部分には同一符号を付してある。このボタン電話装置では、図２の外線Ｉ／Ｆ部３２に代えて、ＩＳＤＮ回線３１Ａ用の外線Ｉ／Ｆ部３２Ａが設けられている。
外線Ｉ／Ｆ部３２Ａは、ＩＳＤＮ回線３１Ａに接続され網側とデジタルデータ伝送を行い、網側からの各種制御メッセージを主制御部３８へ出力し、音声データをＴスイッチ３６へ出力する。また、主制御部３８からの各種制御メッセージやＴスイッチ３６からの音声データを網側へ送信する。
【００３８】
次に、図面を参照して、本実施の形態の動作について、図１に示した電話装置を例として説明する。
図５を参照して、サービス管理処理について説明する。図５はサービス管理処理を示すフローチャートである。図１の電話装置の制御回路１では、発信相手先終話通知サービスを管理するため、図５に示すサービス管理処理を繰り返し実行している。以下では、機能キー１０の１つとして発信相手先終話通知サービスで登録した発信相手先への再発信を指示するサービスボタン（再発信要求ボタン）が設けられているものとして説明する。
【００３９】
制御回路１は、まず、ダイヤルキー９や機能キー１０の操作に基づき、利用者により発信相手先終話通知サービスのサービス登録操作、例えばダイヤル「１５９」に続くダイヤル「１」の押下操作の有無を検出し、そのサービス登録操作の検出に応じて（ステップ１００：ＹＥＳ）、サービス登録された発信相手先のダイヤルを登録するための電話番号登録処理を行う（ステップ１０１）。
このとき、サービスボタンを兼用し、サービス登録が行われていない場合のサービスボタン押下操作をサービス登録操作と見なすようにしてもよく、この場合は、サービスボタンの押下操作を検出すればよい。
【００４０】
また、着信信号検出回路２からの着信出力信号に基づき、発信相手先終話に応じた網側からのＳＩＲ着信が検出された場合は（ステップ１０２：ＹＥＳ）、サービスの進行状態がＳＩＲ着信後の再発信有効期間へ移行したことを登録設定するためのＳＩＲ着信処理を行う（ステップ１０３）。
また、後述する空き待ちタイマあるいは再発信有効タイマのタイムアップに応じて（ステップ１０４：ＹＥＳ）、管理しているサービスの設定を解除する設定解除処理を行う（ステップ１０５）。
【００４１】
また、利用者による外線ボタンの押下など、電話回線の選択操作が検出された場合は（ステップ１０６：ＹＥＳ）、選択されたアナログ電話回線Ｌに関する発信相手先終話通知サービスに関する進行状態を可視表示して発信へ移行する状態表示処理を行い（ステップ１０７）、一連の処理を終了する。
なお、図２に示したボタン電話操作のように電話回線が複数ある場合、上記のサービス管理処理では、上記４つの処理について、そのサービスを登録した電話回線を処理対象として個別に実行する。これにより、発信相手先終話通知サービスに関する情報、例えば、空き待ちダイヤルデータ、サービス登録回線エリアでのサービス登録有無、空き待ちタイマ、ＳＩＲ着信回数、サービス進行状態などがメモリ１１でそれぞれの電話回線ごとに管理される。
【００４２】
次に、図６を参照して、電話番号登録処理について説明する。図６は電話番号処理を示すフローチャートである。
通常、ダイヤルキー９などにより入力されたダイヤルデータをアナログ電話回線Ｌへ送出した場合、そのダイヤルデータはメモリ１１内にリダイヤルデータとして格納される。
制御回路１では、この電話番号登録処理に先立って行われた発信相手先への発信の際に、その発信相手先のダイヤルデータがリダイヤルデータとしてメモリ１１に格納されているため、メモリ１１からそのリダイヤルデータを読み出す（ステップ１１０）。そして、そのリダイヤルデータを、その後の再発信に備えてメモリ１１の空き待ちダイヤルエリアへ格納する（ステップ１１１）。
【００４３】
続いて、その電話回線で発信相手先終話通知サービスを登録したことをメモリ１１のサービス登録回線エリアに記憶する（ステップ１１２）。このとき、ボタン電話装置の場合は、その電話回線を示す回線番号を記憶すればよい。
そして、タイマ１Ａを用いて、発信相手先終話通知サービスにより網側で発信相手先を監視する相手終話待ち時間（４５分）を計時する空き待ちタイマを起動するとともに（ステップ１１３）、その電話回線へのＳＩＲ着信の回数を示すＳＩＲ着信回数をクリアし（ステップ１１４）、さらに、発信相手先終話通知サービスの進行状態として、空き待ち中であることをメモリ１１に記憶し（ステップ１１５）、一連の処理を終了する。
【００４４】
次に、図７を参照して、ＳＩＲ着信処理について説明する。図７はＳＩＲ着信処理を示すフローチャートである。
制御回路１では、まず、ＳＩＲ着信の検出に応じて、そのＳＩＲ着信のあった電話回線に関する発信相手先終話通知サービスの進行状態が、ＳＩＲ着信有りの状態すなわち発信相手先終話状態へ移行したことをメモリ１１に記憶する（ステップ１２０）。そして、その電話回線のＳＩＲ着信回数を＋１し（ステップ１２１）、利用者によるオフフック操作など、そのＳＩＲ着信への応答操作が行われたかどうかチェックする（ステップ１２２）。
【００４５】
ここで、応答操作が行われた場合は（ステップ１２２：ＹＥＳ）、その後の利用者によるオンフック操作などの終話操作に応じて（ステップ１２３：ＹＥＳ）、タイマ１Ａを用いて、サービスを用いた発信相手先への網側からの再発信が有効な期間、すなわち再発信有効期間を計時する再発信有効タイマを起動し（ステップ１２４）、一連の処理を終了する。
ステップ１２２において、応答操作が行われず（ステップ１２２：ＮＯ）、そのＳＩＲ着信回数が４回目であった場合すなわち最後のＳＩＲ着信であった場合は（ステップ１２５：ＹＥＳ）、ステップ１２４へ移行し、４回に満たない場合は（ステップ１２５：ＮＯ）、一連の処理を終了する。
【００４６】
次に、図８を参照して、サービス解除処理について説明する。図８は設定解除処理を示すフローチャートである。
制御回路１では、まず、メモリ１１の空き待ちエリアをクリアし（ステップ１３０）、サービス登録回線エリアに記憶されている当該電話回線をクリアする（ステップ１３１）。そして、タイマ１Ａを制御して、空き待ちタイマを停止するとともに（ステップ１３２）、再発信有効タイマを停止する（ステップ１３３）。
続いて、表示回路１２での発信相手先終話通知サービスに関する表示をクリアするとともに（ステップ１３４）、ＳＩＲ着信回数をクリアする（ステップ１３５）。さらに、メモリ１１に記憶しているサービス進行状態をクリアし（ステップ１３６）、一連の処理を終了する。
【００４７】
次に、図９を参照して、状態表示処理について説明する。図９は状態表示処理を示すフローチャートである。
制御回路１では、まず、選択されたアナログ電話回線Ｌを捕捉し（ステップ１４０）、メモリ１１のサービス登録回線エリアを参照して、その電話回線で発信相手先終話通知サービスが登録されているかどうかチェックする（ステップ１４１）。このとき、ボタン電話装置の場合は、複数の電話回線のうち選択された電話回線を捕捉して、その電話回線でのサービス登録の有無をチェックする。
【００４８】
ここで、サービスが登録されている場合は（ステップ１４１：ＹＥＳ）、表示回路１２を制御して、発信相手先終話通知サービスが登録されていることを示すため、サービスボタンのランプを点滅表示させるとともに（ステップ１４２）、外線ボタンのランプを点滅表示させる（ステップ１４３）。そして、表示回路１２のＬＣＤ表示部により、文字・図柄を用いてサービス登録中を示す表示を行い（ステップ１４４）、後述のステップ１４５へ移行する。
一方、ステップ１４１で、サービスが登録されていなかった場合は（ステップ１４１：ＮＯ）、サービスボタンや外線ボタンのランプ、さらにはＬＣＤ表示部によるサービス登録中の旨の表示を行わず、ステップ１４５へ移行する。
【００４９】
このように、電話回線を用いて登録した発信相手先終話通知サービスの進行状態を管理し、電話回線を選択する操作に応じて管理手段で管理されている進行状態を可視表示するようにしたので、従来のように、発信相手先終話通知サービスによる電話網側からのＳＩＲ着信に応じて着信音を送出するだけの場合と比較して、使用する電話回線で発信相手先終話通知サービスが登録されているかどうかを容易に確認できる。これにより、発信相手先終話通知サービスが登録されていれば、その後ＳＩＲ着信による発信相手先の終話が通知されるため、なるべくならその電話回線の使用を控えることにより、この発信相手先終話通知サービスを円滑に利用できる。
【００５０】
また、サービスボタンや外線ボタンのランプを点滅させる場合、サービスのさらに詳細な進行状態に基づき、点滅速度など表示方法を変化させるようにしてもよい。例えば、サービスの進行状態がサービス登録してからＳＩＲ着信までの期間を示すサービス登録中であった場合は遅い点滅で表示し、ＳＩＲ着信を検出した以降は早い点滅で表示すればよい。
これにより、利用者に対してサービスの進行状態を詳細に通知することができる。また、サービス登録後のＳＩＲ着信の有無に応じて、異なる表示を行うようにしたので、例えばＳＩＲ着信以前の場合は当該電話回線の使用を控え、ＳＩＲ着信以後の場合は直ちに発信相手先に対して再発信するという、利用者がそのサービス状態に応じて適切な対応を行うことができる。
【００５１】
この後、図９の状態表示処理では、利用者によるオンフック操作などにより終話したかどうかチェックし（ステップ１４５）、終話した場合は（ステップ１４５：ＹＥＳ）、ステップ１４０で捕捉したアナログ電話回線Ｌを開放し（ステップ１４６）、一連の処理を終了する。
一方、終話していない場合は（ステップ１４５：ＮＯ）、後述の手動発信処理を行って（ステップ１４７）、一連の処理を終了する。
【００５２】
次に、図１０を参照して、手動発信処理について説明する。図１０は手動発信処理を示すフローチャートである。
制御回路１では、まず、利用者によるダイヤルキー９の操作に応じてダイヤル回路４を制御して、発信相手先のダイヤルを、前述した図９の状態表示処理により捕捉したアナログ電話回線Ｌへ送出し（ステップ１５１）、呼び出しループへ移行する。
【００５３】
呼び出しループは、ステップ１５２，１６１から構成されている。呼び出しループにおいて、リバース検出回路１３を介して相手応答が検出された場合は、その後の終話に応じて（ステップ１５３：ＹＥＳ）、アナログ電話回線Ｌを開放する（ステップ１５４）。そして、送出したダイヤルがメモリ１１の空き待ちダイヤルエリアに格納されているダイヤルすなわちサービス登録した発信相手先と一致するかどうか判断する（ステップ１５５）。
ここで、一致した場合（ステップ１５５：ＹＥＳ）は、サービス登録した発信相手先への電話連絡が終了し再発信の必要がないと判断して、後述のサービス解除処理を行い（ステップ１５６）、一連の処理を終了する。
【００５４】
また、不一致の場合は（ステップ１５５：ＮＯ）、送出したダイヤルが網側に対して再発信を指示するダイヤル「１５９Ｐ３」かどうかチェックし（ステップ１５７）、一致した場合は（ステップ１５７：ＹＥＳ）、前述した図８の設定解除処理を行い（ステップ１５８）、一連の処理を終了する。
一方、ステップ１５７において、一致しなかった場合は（ステップ１５７：ＮＯ）、送出したダイヤルが網側に対してサービス登録解除を指示するダイヤル「１５９Ｐ９」かどうかチェックし（ステップ１５９）、その一致に応じて（ステップ１５９：ＹＥＳ）、ステップ１５８へ移行し、不一致に応じて（ステップ１５９：ＮＯ）、一連の処理を終了する。
【００５５】
また、呼び出しループにおいて、利用者によるオンフック操作などにより呼び出しが中止された場合は（ステップ１６１：ＹＥＳ）、そのアナログ電話回線Ｌを開放して（ステップ１６２）、一連の処理を終了する。
このように、利用者の操作により、サービス登録した発信相手先と通話状態となった場合でも、これを検出してＳＩＲ着信応答状態をクリアするようにしたので、サービスの進行状態が自動的に更新され、進行状態を正確に管理できる。
【００５６】
次に、図１１を参照して、サービス解除処理について説明する。図１１はサービス解除処理を示すフローチャートである。
制御回路１では、まず、メモリ１１を参照して、前述の手動発信処理で開放したアナログ電話回線Ｌのサービス進行状態が、ＳＩＲ着信有りであるかどうかチェックする（ステップ１７０）。ここで、サービス進行状態がＳＩＲ着信有りの場合は（ステップ１７０：ＹＥＳ）、サービス進行状態をクリアする（ステップ１７１）。そして、前述した図８の設定解除処理を行い（ステップ１７２）、一連の処理を終了する。
【００５７】
また、サービス進行状態がＳＩＲ着信有りを示していない場合は（ステップ１７０：ＮＯ）、ループ閉結回路３を制御して、前述の手動発信処理で開放したアナログ電話回線Ｌを捕捉し（ステップ１７３）、ダイヤル回路４を制御してそのアナログ回線Ｌへ、発信相手先終話通知サービスの解除を指示するダイヤル「１５９Ｐ９」を送出する（ステップ１７４）。これに応じて、網側では先にそのアナログ電話回線Ｌに登録されている発信相手先終話通知サービスを解除し、発信相手先終話の監視を終了する。一方、制御回路１は、ループ閉結回路３を制御して当該アナログ電話回線Ｌを開放し（ステップ１７５）、ステップ１７２へ移行する。
これにより、ＳＩＲ着信有りの場合はその状態がクリアされ、ＳＩＲ着信有りでない場合にのみ、網側に対してサービス解除が指示される。
【００５８】
以上では、図１の単独電話機を例として説明したが、図２のボタン電話装置では主制御部３８が制御回路１の役割を果たすことになり、前述と同様にして本発明を実施でき、同様の作用効果が得られる。なお、ボタン電話装置では、発信相手先終話通知サービスを登録した電話回線とボタン電話機とを関連付けて主記憶部３９で管理しておき、ＳＩＲ着信時の着信音などを、そのＳＩＲ着信があった電話回線に対応するボタン電話機から出力すればよい。
また、これらアナログ電話回線に接続されるものではなく、図３，４に示すようなＩＳＤＮ回線に接続される単独電話機やボタン電話装置については、着信検出やＢＴ検出、相手応答検出を制御メッセージで行う点がアナログ電話回線の場合と異なるものの、前述と同様にして本発明を実施でき、同様の作用効果が得られる。
【００５９】
【発明の効果】
以上説明したように、本発明は、発信相手先終話通知サービスとして、発信相手先が話中の場合に当該電話回線を再捕捉して発信元から所定のダイヤルを送出して相手先終話通知を網側へ登録することにより、網側からの発信元への特殊着信による呼び出しで発信相手先の終話を通知するサービスが提供されている電話回線に接続される電話装置であって、電話回線を用いて登録した発信相手先終話通知サービスの進行状態を管理する管理手段と、電話回線を選択する操作に応じて管理手段で管理されている進行状態を示す可視表示を行う表示手段とを設け、選択された電話回線の進行状態を表示するようにしたものである。また、複数の電話回線に接続される電話装置では、管理手段で、各電話回線を用いて登録した発信相手先終話通知サービスの進行状態を各電話回線ごとに管理し、表示手段により、いずれかの電話回線を選択する操作に応じて管理手段で管理されている当該電話回線の進行状態を示す可視表示を行うようにしたものである。
【００６０】
これにより、従来のように、網側からのＳＩＲ着信に応じて着信音を送出するだけの場合と比較して、使用する電話回線で発信相手先終話通知サービスが登録されているかどうかを容易に確認でき、選択した電話回線に発信相手先終話通知サービスが登録されていれば、その後ＳＩＲ着信による発信相手先の終話が通知されるため、その電話回線の使用を控えるなどの対応をとることができ、既に登録した発信相手先終話通知サービスを効果的に利用することができる。
【図面の簡単な説明】
【図１】  本発明の一実施の形態にかかる電話装置（アナログ電話回線用単独電話機）を示すブロック図である。
【図２】  本発明の一実施の形態にかかる電話装置（アナログ電話回線用ボタン電話装置）を示すブロック図である。
【図３】  本発明の一実施の形態にかかる電話装置（ＩＳＤＮ回線用単独電話機）を示すブロック図である。
【図４】  本発明の一実施の形態にボタン電話装置（ＩＳＤＮ回線用ボタン電話装置）の主装置を示すブロック図である。
【図５】  サービス管理処理を示すフローチャートである。
【図６】  電話番号登録処理を示すフローチャートである。
【図７】  ＳＩＲ着信処理を示すを示すフローチャートである。
【図８】  設定解除処理を示すを示すフローチャートである。
【図９】  状態表示処理を示すフローチャートである。
【図１０】  手動発信処理を示すを示すフローチャートである。
【図１１】  サービス解除処理を示すフローチャートである。
【図１２】  発信相手先終話通知サービスの処理動作を示すシーケンス図である。
【図１３】  発信相手先終話通知時の着信信号を示す信号波形図である。
【図１４】  発信相手先終話通知のタイミングチャートである。
【符号の説明】
１…制御回路、１Ａ…タイマ、２…着信信号検出回路、３…ループ閉結回路、４…ダイヤル回路、５…通話回路、６…増幅回路、７…音源回路、８…音声録再回路、９…ダイヤルキー、１０…機能キー、１１…メモリ、１２…表示回路、１３…リバース検出回路、１４…時計回路、１５…ＢＴ検出回路、１６…外線Ｉ／Ｆ回路、１７…音声処理回路、ＨＳ１，ＨＳ２…フックスイッチ、Ｌ…アナログ電話回線、ＬＡ…ＩＳＤＮ回線、２０Ａ〜２０Ｎ…ボタン電話機、２０…内線伝送路、２１…伝送Ｉ／Ｆ部、２２…音声処理部、２３…子機制御部、２４…操作部、２５…表示部、２６…メモリ、３０…主装置、３１…アナログ電話回線、３１Ａ…ＩＳＤＮ回線、３２…外線Ｉ／Ｆ部、３２Ａ…外線Ｉ／Ｆ部、３３…着信信号検出部、３４…ＢＴ検出部、３５…音声録再部、３６…Ｔスイッチ、３７…内線Ｉ／Ｆ部、３８…主制御部、３８Ａ…タイマ、３９…主記憶部。
【図１】
0003671834.tif 000002
【図２】
0003671834.tif 000003
【図３】
0003671834.tif 000004
【図４】
0003671834.tif 000005
【図５】
0003671834.tif 000006
【図６】
0003671834.tif 000007
【図７】
0003671834.tif 000008
【図８】
0003671834.tif 000009
【図９】
0003671834.tif 000010
【図１０】
0003671834.tif 000011
【図１１】
0003671834.tif 000012
【図１２】
0003671834.tif 000013
【図１３】
0003671834.tif 000014
【図１４】
0003671834.tif 000015